(57)【要約】  照明演出装置（３０）は、楽曲データ（ＳＤ）から拍位置情報（ＢＳＤ）および楽曲特徴量（ＦＳＤ）を含む楽曲情報（ＳＳＤ）を取得する楽曲情報取得部（３１）と、拍位置情報に基づいて楽曲データに照明演出区間を設定する区間設定部（３２１）と、照明演出区間の楽曲特徴量に基づいて照明演出区間の照明演出候補を提示する照明演出提示部（３２４）と、照明演出候補のうちいずれかを外部操作により選択する照明演出選択部（３２５）と、を備える。
2017212551.tif 000002
【特許請求の範囲】
【請求項１】
楽曲データから拍位置情報および楽曲特徴量を含む楽曲情報を取得する楽曲情報取得部と、
前記拍位置情報に基づいて前記楽曲データに照明演出区間を設定する区間設定部と、
前記照明演出区間の前記楽曲特徴量に基づいて前記照明演出区間の照明演出候補を提示する照明演出提示部と、
前記照明演出候補のうちいずれかを外部操作により選択する照明演出選択部と、を備えたことを特徴とする照明演出装置。
【請求項２】
請求項１に記載した照明演出装置において、
前記楽曲特徴量として、前記照明演出区間のテンポ、調性、色聴、前記楽曲データでの前記照明演出区間の機能のいずれかを参照して前記照明演出候補を設定することを特徴とする照明演出装置。
【請求項３】
請求項１または請求項２に記載した照明演出装置において、
前記照明演出候補を表示する表示部と、
前記表示部に表示された前記照明演出候補のうちいずれかの照明演出を指定可能な操作部と、を備えたことを特徴とする照明演出装置。
【請求項４】
照明装置と、前記照明装置を制御する照明制御装置とを有し、
前記照明制御装置が、
楽曲データから拍位置情報および楽曲特徴量を含む楽曲情報を取得する楽曲情報取得部と、
前記拍位置情報に基づいて前記楽曲データに照明演出区間を設定する区間設定部と、
前記照明演出区間の前記楽曲特徴量に基づいて前記照明演出区間の照明演出候補を提示する照明演出提示部と、
前記照明演出候補のうちいずれかを外部操作により選択する照明演出選択部と、を備えたことを特徴とする照明システム。
【請求項５】
コンピュータシステムが、楽曲データから拍位置情報および楽曲特徴量を含む楽曲情報を取得し、
前記拍位置情報に基づいて前記楽曲データに照明演出区間を設定し、
前記照明演出区間の前記楽曲特徴量に基づいて前記照明演出区間の照明演出候補を提示し、
前記照明演出候補のうちいずれかを外部操作により選択する、ことを特徴とする照明演出方法。
【請求項６】
コンピュータシステムを請求項１から請求項３のいずれか一項に記載した照明演出装置として機能させることを特徴とする照明演出プログラム。
【発明の詳細な説明】
【技術分野】
【０００１】
本発明は、照明演出装置、照明システム、照明演出方法および照明演出プログラムに関する。
【背景技術】
【０００２】
コンサートやクラブシーンにおいて、音楽に対応した照明あるいは楽曲に同期して照明を変化させることは、演出上重要な要素である。
楽曲に対応した照明を用いた緻密な演出効果を得るためには、楽曲を理解した専属の照明スタッフが操作することが望ましい。しかし、小規模なコンサートやクラブ、イベント等では、費用の都合などから、専属スタッフを常駐させることが困難である。【０００３】
これに対し、楽曲に対応した照明の自動化が試みられている。例えば、特許文献１あるいは特許文献２の技術は、楽曲に対応した照明内容に関する照明制御データを予め作成しておき、演奏時に楽曲と同期して照明制御データに基づき照明を制御することで、楽曲に対応した所望の照明を実現している。
照明制御データの作成にあたっては、対象となる楽曲データに対して、予め楽曲解析を行い、楽曲のブロック（楽曲構造特徴区間、例えばＡメロ、Ｂメロ、サビなど）に区画し、各ブロックのイメージに適した照明パターンを指定する等がなされている。
さらに、特許文献３では、照明装置が演奏される楽曲の楽譜情報を参照し、演奏の進行度合いに応じて照明演出を進行させている。
【先行技術文献】
【特許文献】
【０００４】
【特許文献１】特開平１０−１２４０７８号公報
【特許文献２】特開２０１０−１９２１５５号公報
【特許文献３】特開２００１−１９５０６１号公報
【発明の概要】
【発明が解決しようとする課題】
【０００５】
前述のように、予め照明制御データを設定しておくことで、楽曲の各ブロックに適した照明演出を行うことができる。
しかし、予め照明制御データを設定していない楽曲や、そもそもＤＪ自身が展開を把握していない楽曲を再生する際に、楽曲の各ブロックに適した照明演出を行なう事が出来なかった。
一方、ＤＪが演奏現場で、ＤＪ演奏をしながら照明演出を設定できれば、ＤＪが意図した通りの照明演出も可能である。しかし、時間的にも制約が多い演奏現場で、ＤＪが楽曲に適した照明演出を設定することは難しかった。
このようなことから、照明演出の事前の設定や演奏中の設定での負担を軽減でき、さらに、ＤＪなどの照明演出する担当者が楽曲を知らない場合でも、相応の照明演出を可能とする技術の開発が望まれていた。【０００６】
本発明の目的は、楽曲に適した照明演出を簡単に設定できる照明演出装置、照明システム、照明演出方法および照明演出プログラムを提供することにある。
【課題を解決するための手段】
【０００７】
本発明の照明演出装置は、楽曲データから拍位置情報および楽曲特徴量を含む楽曲情報を取得する楽曲情報取得部と、前記拍位置情報に基づいて前記楽曲データに照明演出区間を設定する区間設定部と、前記照明演出区間の前記楽曲特徴量に基づいて前記照明演出区間の照明演出候補を提示する照明演出提示部と、前記照明演出候補のうちいずれかを外部操作により選択する照明演出選択部と、を備えたことを特徴とする。【０００８】
本発明の照明システムは、照明装置と、前記照明装置を制御する照明制御装置とを有し、前記照明制御装置が、楽曲データから拍位置情報および楽曲特徴量を含む楽曲情報を取得する楽曲情報取得部と、前記拍位置情報に基づいて前記楽曲データに照明演出区間を設定する区間設定部と、前記照明演出区間の前記楽曲特徴量に基づいて前記照明演出区間の照明演出候補を提示する照明演出提示部と、前記照明演出候補のうちいずれかを外部操作により選択する照明演出選択部と、を備えたことを特徴とする。【０００９】
本発明の照明演出方法は、コンピュータシステムが、楽曲データから拍位置情報および楽曲特徴量を含む楽曲情報を取得し、前記拍位置情報に基づいて前記楽曲データに照明演出区間を設定し、前記照明演出区間の前記楽曲特徴量に基づいて前記照明演出区間の照明演出候補を提示し、前記照明演出候補のうちいずれかを外部操作により選択する、ことを特徴とする。【００１０】
本発明の照明演出プログラムは、コンピュータシステムを前述した本発明の照明演出装置として機能させることを特徴とする。
【図面の簡単な説明】
【００１１】
【図１】本発明の一実施形態を示すブロック図。
【図２】前記実施形態の楽曲データおよび照明制御データを示す模式図。
【図３】前記実施形態の照明演出区間の設定を示す模式図。
【図４】前記実施形態の照明演出候補の提示を示す模式図。
【発明を実施するための形態】
【００１２】
以下、本発明の一実施形態を図面に基づいて説明する。
図１には、クラブ等のライブスペース用の音響照明システム１が示されている。
音響照明システム１は、音楽再生を行う楽曲再生装置１０と、ライブスペース内の照明を行う照明装置２０と、照明装置２０を制御する照明制御装置３０とを備えている。
このうち、照明装置２０および照明制御装置３０が本発明の照明システムに相当する。
【００１３】
楽曲再生装置１０は、音楽再生ソフトウェアが組み込まれた汎用のＰＣ（パーソナルコンピュータ）と、このＰＣに接続された音響システムとを有する。ＰＣでは音楽再生ソフトウェアにより再生制御部が構成され、ＰＣにストアされた楽曲データＳＤを音声信号として音響システムに送ることで、この楽曲データＳＤに基づく音楽をライブスペース内に再生することができる。
楽曲データＳＤは、ディスク媒体などで楽曲再生装置１０に供給されるほか、ネットワーク通信を介して楽曲再生装置１０に供給される。
なお、楽曲再生装置１０としては、前述のような汎用ＰＣを用いたＰＣオーディオシステムに限らず、専用のディスク再生装置あるいは音楽データ再生装置であってもよい。
【００１４】
楽曲再生装置１０には、ＤＪ（ディスクジョッキー）などのユーザ９が、スクラッチ等の特殊再生あるいはエフェクト操作をするためのＤＪコントローラを接続することができる。なお、ＤＪコントローラは、外部接続されるものに限らず、楽曲再生装置１０に設置されていてもよい。
【００１５】
照明装置２０は、ライブスペースやイベントスペース内の照明を行うものであり、ライブ設備として多用される各種の照明器具を備えている。
照明器具は、舞台照明に多用される、例えばパーライト、ストロボライト、ムービングヘッドなどである。これらの照明器具においては、それぞれ投光の断続、明るさのほか、器具によって照射方向、動作速度などのパラメータを指定することができる。
これらのパラメータで指定される照明器具ごとの照明動作あるいは照明状態の内容が、本発明の照明演出に相当する。
【００１６】
照明装置２０の照明器具は、それぞれＤＭＸ５１２規格に準拠するとともに、同規格に基づいて互いに接続されている。従って、同規格に準拠した照明制御データＬＤに所望の照明演出を設定し、照明装置２０に送信することで、各照明器具に所望の照明演出で照明動作を実行させることができる。
なお、ＤＭＸ５１２規格は舞台照明分野で一般的な規格であるが、照明装置２０および後述する照明制御装置３０は同規格に限らず、他の規格に基づくものであってもよい。
【００１７】
照明制御装置３０は、汎用のＰＣ（パーソナルコンピュータ）や組み込み機器等に、照明制御ソフトウェアを組み込んで構成されるものである。
なお、照明制御装置３０にＰＣを用いる場合、前述した楽曲再生装置１０に用いるＰＣと同じものを共用してもよい。
【００１８】
照明制御装置３０には、前述した照明制御ソフトウェアにより、楽曲情報取得部３１、照明演出部３２、照明制御部３３が構成される。
楽曲情報取得部３１は、楽曲再生装置１０で再生される楽曲データＳＤに対し、既存の楽曲解析技術を適用して楽曲情報ＳＳＤを抽出する。
【００１９】
楽曲情報ＳＳＤには、拍位置情報ＢＳＤおよび楽曲特徴量ＦＳＤが含まれる。
拍位置情報ＢＳＤは、楽曲データＳＤにおける拍位置を時間軸で記録したものであり、例えば、図３の中段に示すように、ローパスフィルタでバスドラム等の楽器音を取り出し、ピーク検出により拍位置を検出することで得られる。
楽曲特徴量ＦＳＤとしては、楽曲データＳＤの調性、楽器音の帯域分布、楽器音の変動度合いなど、楽曲データＳＤから抽出される評価値であって、楽曲データＳＤの各部における音楽的な特徴を示す値である。
【００２０】
楽曲特徴量ＦＳＤの取り扱いについては下記が参照できる。
「音響特徴量を用いた楽曲印象分布の推定（絵本詩織，糸山克寿，奥乃博）」（情報処理学会第７６回全国大会講演論文集、２０１４年３月１１日発表、３９１−３９２頁、http://winnie.kuis.kyoto-u.ac.jp/members/okuno/Public/IPSJ76-Emoto.pdf）。
「コード進行・メタ情報・楽曲特徴量に基づく音楽可視化（上原美咲, 伊藤貴之）」（第７回データ工学と情報マネジメントに関するフォーラム（第１３回日本データベース学会年次大会）、２０１５年３月２日発表、http://db-event.jpn.org/deim2015/paper/85.pdf）。
【００２１】
照明演出部３２は、楽曲再生装置１０で再生される楽曲データＳＤに対して、その各ブロック（例えばＡメロ、Ｂメロ、サビなど）に対応したブロック構成の照明制御データＬＤを設定し、その各ブロックにユーザ９が所望の照明演出を設定する。
【００２２】
図２に示すように、本実施形態では、楽曲データＳＤには、例えばイントロ、Ａメロ、Ｂメロ、サビなどに対応した複数のブロックＳＢ１〜ＳＢｎ（楽曲構造特徴区間）が設定されている。
このような楽曲データＳＤのブロックＳＢ１〜ＳＢｎに対応して、照明制御データＬＤにも複数のブロックＬＢ１〜ＬＢｎが設定される。
従って、照明制御データＬＤの各ブロックＬＢ１〜ＬＢｎに、それぞれ照明の指示（照明演出）を設定することで、楽曲データＳＤの各ブロックＳＢ１〜ＳＢｎに対し、各々のイメージに適した照明を実現することができる。
【００２３】
なお、楽曲データＳＤに設定されるブロックＳＢ１〜ＳＢｎ（Ａメロ、Ｂメロ等）は、予め楽曲データＳＤに設定されていてもよく、ユーザ９が設定してもよく、照明制御装置３０の別の構成が楽曲データＳＤにおける楽曲特徴量ＦＳＤの変動を解析して自動的に設定するものであってもよい。
【００２４】
照明制御データＬＤの各ブロックＬＢ１〜ＬＢｎに設定される照明演出としては、照明装置２０による照明対象のライブ会場などに対する照明効果（光量、色分布、光線方向、投影光形、照明装置の発光エリアの選択など）の指定を含むことができる。照明演出には、前述した照明効果の時間的な変化を含むことができ、例えばある照明状態が他の照明状態に変化する際の変化速度あるいは変化カーブを含むことができる。
このような照明効果は、照明装置２０に装備された各種の照明器具における照明動作の状態（投光の断続、明るさ、照射方向など）の制御により、実現することができる。
【００２５】
図１に戻って、照明演出部３２は、前述した照明制御データＬＤの各ブロックＬＢ１〜ＬＢｎの各々で、好適な照明演出候補が提示され、いずれかをユーザ９が選択することで各ブロックの照明演出を簡単に行えるようにする。
このために、照明演出部３２は、区間設定部３２１、照明演出データベース３２２、照明演出候補設定部３２３、照明演出提示部３２４、照明演出選択部３２５、表示部３２６および操作部３２７を備えている。
なお、表示部３２６は、照明制御装置３０に利用するＰＣのディスプレイ装置とすることができ、操作部３２７は、照明制御装置３０に利用するＰＣのマウスなどのポインティングデバイスやキーボードとすることができる。
【００２６】
区間設定部３２１は、楽曲情報取得部３１で取得した拍位置情報ＢＳＤを参照して、楽曲データＳＤの各ブロックＳＢ１〜ＳＢｎに対応する各ブロックＬＢ１〜ＬＢｎを、照明演出区間として照明制御データＬＤに割り当てる。
図３に示すように、楽曲データＳＤにブロックＳＢ２（Ａメロ）およびブロックＳＢ３（Ｂメロ）があるとすると、区間設定部３２１は、拍位置情報ＢＳＤを参照してブロックＳＢ２（Ａメロ）とブロックＳＢ３（Ｂメロ）との継ぎ目ＳＰ３の時間軸位置を確定する。そして、照明制御データＬＤに、継ぎ目ＬＰ３で接続されるブロックＬＢ２（Ａメロ用の照明演出区間２）およびブロックＳＢ３（Ｂメロ用の照明演出区間３）を割り当てる。
このように、拍位置情報ＢＳＤを参照して照明制御データＬＤに照明演出区間を割り当てることで、楽曲データＳＤと照明制御データＬＤとの同期を高精度にできる。
【００２７】
照明演出データベース３２２は、照明制御データＬＤの照明演出区間（ブロックＬＢ１〜ＬＢｎ）に利用可能な照明演出のプリセットパターンを、楽曲特徴量ＦＳＤのパターンごとに記録したものである。
例えば、楽曲特徴量ＦＳＤに基づいて、「暗い曲調で、ＢＰＭ（１分間あたり拍数）が遅く、楽曲のＡメロ部分」であれば「背景が暗い青色、天井は消灯」、あるいは「早めの明るい曲のサビ」であれば「天井最大輝度」などの照明演出が多数記録されている。
【００２８】
照明演出のキーとなる楽曲特徴量ＦＳＤとしては、照明演出区間における楽曲のテンポ、調性、色聴、楽曲データにおける照明演出区間の機能（Ａメロかサビか、４度和音連続部か、など）が利用できる。
このうち、色調については、例えば「高橋理宇眞・藤澤隆史・長田典子・杉尾武志・井口征士 (2006). fMRIによる共感覚の計測−色聴者の音楽聴取時の脳活動−. 情報処理学会研究報告2006-MUS-66, 2006(90), 105-108.」、http://ist.ksc.kwansei.ac.jp/~nagata/synesthesia/research/SIGMUS_66_17.pdfが参照できる。
【００２９】
照明演出データベース３２２におけるパターンの設定は、個人的な主観に依存するところが大であり、特定の個人の趣向で設定されてもよい。
例えば、ユーザ９であるＤＪが、自らの好みの照明演出パターンを記録したファイルを、照明演出データベース３２２として照明演出部３２にロードしてもよい。
また、著名な照明デザイナーによる照明演出パターンファイルを、パッケージあるいはネットワーク上で頒布してもよい。
【００３０】
照明演出候補設定部３２３は、照明制御データＬＤの照明演出区間（ブロックＬＢ１〜ＬＢｎ）の各々に対し、照明演出として好適なパターンを一つないし複数の候補として選択する。好適なパターンとして、照明演出候補設定部３２３は、楽曲情報取得部３１で取得した楽曲特徴量ＦＳＤに基づいて、照明演出データベース３２２に記録された照明演出パターンを検索し、楽曲特徴量ＦＳＤが該当するものを一つないし複数選択する。
【００３１】
照明演出提示部３２４は、照明演出候補設定部３２３で選択された照明演出パターンの候補（照明演出候補）を、表示部３２６に表示してユーザ９に提示する。
照明演出パターンの候補の提示は、照明制御データＬＤの照明演出区間（ブロックＬＢ１〜ＬＢｎ）の各々で個別に行われる。
照明演出選択部３２５は、照明演出提示部３２４により表示部３２６に表示された照明演出候補に対し、ユーザ９が操作部３２７への操作することで、照明演出候補のいずれかを指定する。
【００３２】
照明演出候補設定部３２３、照明演出提示部３２４および照明演出選択部３２５の動作は、次のようなものとなる。
図４に示すように、表示部３２６の表示画面に、楽曲データＳＤのブロックＳＢ２（Ａメロ）およびブロックＳＢ３（Ｂメロ）が表示され、その下に照明制御データＬＤの照明演出区間２であるブロックＬＢ２（Ａメロ照明）および照明演出区間３であるブロックＬＢ３（Ｂメロ照明）が表示されているとする。
【００３３】
ユーザ９が、照明演出区間２であるブロックＬＢ２（Ａメロ照明）を（例えばポインタＰｔにより）選択すると、照明演出候補設定部３２３により、ブロックＬＢ２に対応するブロックＳＢ２の楽曲特徴量ＦＳＤ２が選択され、照明演出データベース３２２の検索により、複数の照明演出候補ＣＬＤ２（例えば、照明演出２−１，照明演出２−２，照明演出２−３）が設定される。
複数の照明演出候補ＣＬＤ２は、照明演出提示部３２４により、例えばブロックＬＢ２（Ａメロ照明）からズームアップする窓のかたちで、照明演出区間２の照明演出候補リストＬＬＤ２が表示される。
【００３４】
ユーザ９が、ポインタＰｔを移動させて、いずれかの照明演出候補ＣＬＤ２（例えば照明演出２−２）を指定すると、照明演出選択部３２５により、「照明演出２−２」の照明演出がブロックＬＢ２（Ａメロ照明）に設定される。
このように、ユーザ９は、照明演出候補リストＬＬＤ２に提示された複数の照明演出候補ＣＬＤ２のいずれかを指定する、という簡単な操作だけで、ブロックＬＢ２（Ａメロ照明）の照明演出を設定することができる。
この際、照明演出候補リストＬＬＤ２に提示される複数の照明演出候補ＣＬＤ２は、ブロックＬＢ２（Ａメロ照明）が対応するブロックＳＢ２（Ａメロ）の楽曲特徴量ＦＳＤ２に基づいて、予め選別されている。このため、どの候補を指定しても、ブロックＳＢ２（Ａメロ）に好適なブロックＬＢ２（Ａメロ照明）の照明演出とすることができる。
【００３５】
なお、ユーザ９の選択を補助するために、照明演出候補リストＬＬＤ２に提示される複数の照明演出候補ＣＬＤ２は、箱状の表示ブロックの内側に照明状態を表示するか、あるいは別の窓で照明状態を画面上に再現してもよい。
【００３６】
同様にして、ユーザ９は、照明演出区間３であるブロックＬＢ３（Ｂメロ照明）について、照明演出候補リストＬＬＤ３に提示される複数の照明演出候補ＣＬＤ３（例えば、照明演出３−１，照明演出３−２，照明演出３−３）から選択して指定することで、ブロックＬＢ３に設定することができる。
【００３７】
このような照明演出候補の提示および指定を行うことで、照明制御データＬＤの全ての照明演出区間（ブロックＬＢ１〜ＬＢｎ）に照明演出が設定できたら、これにより照明制御データＬＤの作成が完了する。
なお、照明制御データＬＤの全ての照明演出区間（ブロックＬＢ１〜ＬＢｎ）に、予め特定の照明演出を設定しておき（デフォルト設定）、任意の照明演出区間のみをユーザ９が候補から選択して差し替えるようにしてもよい。
【００３８】
照明制御部３３は、照明演出部３２で作成された照明制御データＬＤに基づいて、照明装置２０を制御し、照明制御データＬＤに設定された照明演出を実現する。
前述した照明制御装置３０のうち、照明演出部３２は本発明の照明演出装置に相当し、この照明演出部３２を構成するために、照明制御ソフトウェアには本発明の照明演出プログラムが含まれる。
【００３９】
以上に説明した通り、本実施形態によれば、次に示すような効果を得ることができる。
照明演出部３２において、楽曲データＳＤの各ブロックＳＢ１〜ＳＢｎに対応する各ブロックＬＢ１〜ＬＢｎを、照明演出区間として照明制御データＬＤに割り当てることができる。
照明制御データＬＤに各ブロックＬＢ１〜ＬＢｎを割り当てる際に、区間設定部３２１は、楽曲情報取得部３１で取得した拍位置情報ＢＳＤを参照するため、楽曲データＳＤの拍位置に対応した正確な照明演出区画を設定することができる。
【００４０】
照明演出区画である各ブロックＬＢ１〜ＬＢｎには、照明演出候補設定部３２３、照明演出提示部３２４および照明演出選択部３２５により、簡単な操作で、適切な照明演出を設定することができる。
とくに、照明演出候補設定部３２３により、楽曲情報取得部３１で取得した楽曲特徴量ＦＳＤに応じた照明演出に限って照明演出候補とするため、適切な照明演出を設定できるとともに、候補の選択を容易にすることができる。
【００４１】
照明演出候補は、予め照明演出データベース３２２に多数の照明演出パターンを、楽曲特徴量ＦＳＤをキーとして記録しておくため、楽曲特徴量ＦＳＤを指定することで適切な照明演出の候補を簡単に設定することができる。
とくに、楽曲特徴量ＦＳＤとして、照明演出区間における楽曲のテンポ、調性、色聴、楽曲データにおける照明演出区間の機能を利用するとしたため、楽曲の該当区間に対応した照明演出を精度よく選択することができる。
【００４２】
このような照明演出部３２を用いることで、本実施形態によれば、ユーザ９であるＤＪが、予め照明演出設定を施していない楽曲を演奏する際に、演奏をしながら楽曲に適した照明演出を得ることができる。また、ＤＪが楽曲を加工した際に、加工にあたって意図した演出効果に対して、これに適した照明演出を得ることができる。
また、照明演出区間に対する照明演出の設定は、照明演出候補の提示ないしユーザ９による指定という操作でよいため、時間的にも制約が多い演奏現場においても、ＤＪが楽曲に適した照明演出を設定することが容易にできる。
【００４３】
なお、本発明は前述した実施形態に限らず、本発明の目的を達成できる範囲での変形などは、本発明に含まれる。
例えば、楽曲特徴量としては、照明演出区間のテンポ、調性、色聴、楽曲データＳＤでの照明演出区間の機能のいずれかだけであってもよく、あるいは前述した項目の他の楽曲特徴量を追加してもよい。
また、照明演出データベース３２２の記録形式は適宜選択することができ、検索条件である楽曲特徴量と照明演出パターンとのセットだけでなく、「明るめ演出」「静かめ演出」などの別の絞り込み条件を追加してもよく、「大阪風」あるいは「アニメのキャラクター風」などの強調を含む照明演出が選択できるようにしてもよい。
さらに、照明演出としては、照明装置による明暗や色彩、明滅などの照明効果のほか、映像演出ともいえる効果、投影される画像（静止画や動画）などを含むものであってもよい。
【符号の説明】
【００４４】
１…音響照明システム、１０…楽曲再生装置、２…照明演出区間、２０…照明装置、３…照明演出区間、３０…照明制御装置、３１…楽曲情報取得部、３２…照明演出部、３２１…区間設定部、３２２…照明演出データベース、３２３…照明演出候補設定部、３２４…照明演出提示部、３２５…照明演出選択部、３２６…表示部、３２７…操作部、３３…照明制御部、９…ユーザ、ＢＳＤ…拍位置情報、ＣＬＤ２…照明演出候補、ＦＳＤ，ＦＳＤ２…楽曲特徴量、ＬＢ１，ＬＢ２，ＬＢ３，ＬＢｎ…照明演出区間であるブロック、ＬＤ…照明制御データ、ＬＬＤ２，ＬＬＤ３…照明演出候補リスト、ＬＰ３…継ぎ目、Ｐｔ…ポインタ、ＳＢ１，ＳＢ２，ＳＢ３，ＳＢｎ…楽曲構造特徴区間であるブロック、ＳＤ…楽曲データ、ＳＰ３…継ぎ目、ＳＳＤ…楽曲情報。
【図１】
2017212551.tif 000003
【図２】
2017212551.tif 000004
【図３】
2017212551.tif 000005
【図４】
2017212551.tif 000006
【国際調査報告】
2017212551.tif 000007
2017212551.tif 000008
2017212551.tif 000009
2017212551.tif 000010